(57)【要約】【課題】軒樋支持具の前後方向の位置調整を簡易にでき、かつ、軒樋支持具の前後方向の移動の阻止を容易に行え、また、一度前後方向の位置を調整した後でも、再び前後方向の位置調整を容易に行える部材点数が少ない簡易な構成の軒樋支持具を提供する【解決手段】建築構造物に固定される取付杆２０と、取付杆２０に対して前後方向に位置調節可能に連結される樋支持具本体１０とを有する軒樋支持具１において、取付杆２０は、前後方向に複数の係合凹部２１が形成され、樋支持具本体１０は、係合凹部２１に係合して吊り下げられる係合部１１が設けられている。【選択図】図１
2020037829.tif 000002
【特許請求の範囲】
【請求項１】
建築構造物に固定される取付杆と、該取付杆に対して前後方向に位置調節可能に連結される樋支持具本体とを有する軒樋支持具において、
前記取付杆は、前後方向に複数の係合凹部が形成され、
前記樋支持具本体は、前記係合凹部に係合して吊り下げられる係合部が設けられていることを特徴とする軒樋支持具。
【請求項２】
請求項１において、
前記取付杆は、中空の柱体であり、前後方向に長いスライド溝が前記係合凹部の開口に隣接して形成されていることを特徴とする軒樋支持具。
【請求項３】
請求項２において、
前記取付杆は、前方向の先端部が前記スライド溝に連通するように開口していることを特徴とする軒樋支持具。
【請求項４】
請求項１乃至３において、
前記係合部は、先端部に抜け止め部が形成されていることを特徴とする軒樋支持具。
【請求項５】
請求項４において、
前記抜け止め部の幅寸法若しくは上下寸法の少なくとも一方は、中空の前記取付杆の内周面間の幅寸法若しくは上下寸法と、略同じ長さに形成されていることを特徴とする軒樋支持具。
【請求項６】
請求項１乃至５において、
前記係合部は、ループ形状であることを特徴とする軒樋支持具。
【発明の詳細な説明】
【技術分野】
【０００１】
本発明は、建築構造物に固定される取付杆と、取付杆に対して前後方向に位置調節可能に連結される樋支持具本体とを有する軒樋支持具に関する。
【背景技術】
【０００２】
従来より、軒樋を支持する軒樋支持具において、建築構造物の軒先からの出具合を調整するものが知られている（たとえば、特許文献１）。このような軒樋支持具では、軒樋支持具が前後方向の所望の位置に調整された後、軒樋支持具を構成している部材同士が、蝶ネジやボルト等の固着具を用いて締結、固定される。これにより、軒樋支持具の部材の前後方向の移動が阻止される。
【先行技術文献】
【特許文献】
【０００３】
【特許文献１】特開２００３−１３８７０７号公報
【発明の概要】
【発明が解決しようとする課題】
【０００４】
このような軒樋支持具では、軒樋支持具の部材同士を固定するのに固着具を用いる必要がある。しかし、１つの軒樋を軒先に固定するためには、複数の軒樋支持具を用いる必要があるため、すべての軒樋支持具の前後位置を固着具で固定するのに時間と労力がかかる。
【０００５】
また、軒樋支持具を構成している部材同士を蝶ネジやボルト等の固着具を用いて固定した後、軒樋支持具の軒先からの出具合を再び調整したい場合がある。その場合は、一度締結した固着具を緩める必要がある。しかし、一度締結した固着具の固定を緩め、軒樋支持具の前後方向の位置を再び調整した後、固着具を用いて再び締結し固定することは、労力と時間がかかる。また、レバー操作で部材間をロック・アンロックして前後調整できるものはあるが、部材点数が多くなるので、コストがかかってしまう。
【０００６】
本発明は、このような事情を鑑みて提案されたもので、その目的は、軒樋支持具の前後方向の位置調整を簡易にでき、かつ、軒樋支持具の前後方向の移動の阻止を容易に行え、また、一度前後方向の位置を調整した後でも、再び前後方向の位置調整を容易に行える部材点数が少ない簡易な構成の軒樋支持具を提供することにある。
【課題を解決するための手段】
【０００７】
上記目的を達成するために、本発明に係る軒樋支持具は、建築構造物に固定される取付杆と、該取付杆に対して前後方向に位置調節可能に連結される樋支持具本体とを有する軒樋支持具において、前記取付杆は、前後方向に複数の係合凹部が形成され、前記樋支持具本体は、前記係合凹部に係合して吊り下げられる係合部が設けられていることを特徴とする。
【０００８】
また、前記取付杆は、中空の柱体であり、前後方向に長いスライド溝が前記係合凹部の開口に隣接して形成されてもよい。
【０００９】
さらに、前記取付杆は、前方向の先端部が前記スライド溝に連通するように開口してもよい。
【００１０】
そして、前記係合部は、先端部に抜け止め部が形成されてもよい。
【００１１】
そしてまた、前記抜け止め部の幅寸法若しくは上下寸法の少なくとも一方は、中空の前記取付杆の内周面間の幅寸法若しくは上下寸法と、略同じ長さに形成されてもよい。
【００１２】
さらにまた、前記係合部は、ループ形状であってもよい。
【発明の効果】
【００１３】
本発明は、上述のような構成とすることで、軒樋支持具の前後方向の位置調整を簡易にでき、かつ、軒樋支持具の前後方向の移動の阻止を容易に行え、また、一度前後方向の位置を調整した後でも、再び前後方向の位置調整を容易に行える部材点数が少ない簡易な構成の軒樋支持具にできる。
【００１４】
また、請求項２に記載の軒樋支持具によれば、上述した構成となっているので、樋支持具本体の係合部がスライド溝と係合凹部間を自在に移動することができ、樋支持具本体の前後方向の移動が阻止された状態を容易に切り替えることができる。
【００１５】
さらに、請求項３に記載の軒樋支持具によれば、上述した構成となっているので、取付杆の前方から、取付杆に樋支持具本体を挿入させることができる。
【００１６】
そして、請求項４に記載の軒樋支持具によれば、上述した構成となっているので、係合部が取付杆から脱落するのを防ぐことができる。
【００１７】
さらにまた、請求項５に記載の軒樋支持具によれば、上述した構成となっているので、抜け止め部が、取付杆の内周面に摺接またはわずかに隙間を空けるように近接するように、取付杆内で回動可能となる。また、樋支持具本体を係合部を介して、ぐらつきが少なく安定した状態で取付杆に吊り下げることができる。
【００１８】
そしてまた、請求項６に記載の軒樋支持具によれば、上述した構成となっているので、係合部は２箇所の係合凹部に係合するので、安定した状態で吊り下げられる。
【図面の簡単な説明】
【００１９】
【図１】本発明の一実施形態に係る軒樋支持具の斜視図である。
【図２】（ａ）〜（ｃ）は、取付杆に樋支持具本体を連結させる手順の一例を示した説明図、（ｄ）は、取付杆の内周面間の幅寸法と、係合部の抜け止め部の幅寸法とを比較した説明図、（ｅ）は、係合部の抜け止め部の変形例を示した斜視図である。
【図３】（ａ）は、他の実施形態に係る軒樋支持具を示した斜視図、（ｂ）〜（ｄ）は、それぞれ係合部の抜け止め部の変形例を示す斜視図である。
【図４】（ａ）、（ｂ）は、それぞれ取付杆の変形例を示す斜視図である。
【図５】（ａ）、（ｂ）は、それぞれ取付杆の変形例を示す斜視図、（ｃ）、（ｄ）は、それぞれ係合部の変形例を示す斜視図である。
【発明を実施するための形態】
【００２０】
以下に、本発明の実施の形態に係る軒樋支持具について、添付図面にもとづいて説明する。まず、基本構成について説明する。なお、軒先に軒樋支持具を取り付けた状態を基準にして、前後方向（長手方向）、幅方向（建築構造物に対する見付の方向と一致する方向）、上下方向等を説明する。また、一部の図では、他図に付している詳細な符号の一部を省略している。
【００２１】
図１の軒樋支持具１は、軒先等に固定される取付杆２０と、取付杆２０に対して前後方向に位置調節可能に連結される樋支持具本体１０とを有する軒樋支持具１において、取付杆２０は、前後方向に複数の係合凹部２１が形成され、樋支持具本体１０は、係合凹部２１に係合して吊り下げられる係合部１１が設けられている。これにより、樋支持具本体１０の前後方向の所望の位置の係合凹部２１に係合部１１を吊り下げることで、樋支持具本体１０の前後方向の移動の阻止を容易に行うことができ、また、一度前後方向の位置を決定した後でも、係合凹部２１から係合部１１を容易にはずせるので、再び前後方向の位置調整を容易に行うことができる。
【００２２】
次に、図１の軒樋支持具１について、各部材ごとに説明する。
【００２３】
樋支持具本体１０は、板状材を加工して形成されており、前部に軒樋４の耳部４ａが保持される前耳保持部１２、後部に軒樋４の耳部４ｂが保持される後耳保持部１３を有した形状とされ、それらの間の板状本体部１４の上部には、係合部１１が設けられている。係合部１１は、線状材を折曲して形成された２つの係合本体部１１ａ，１１ａと、２つの係合本体部１１ａ，１１ａの上側の先端部に設けられた抜け止め部１１ｂとにより構成されている。より具体的には、係合本体部１１ａは、板状本体部１４の上面から上方向に起立する支持部１１ａａと、支持部１１ａａの上側の端部１１ａｂから幅方向外側（取付杆２０に対して幅方向に離反する方向）に上がり傾斜して折曲される傾斜部１１ａｃと、傾斜部１１ａｃの外側の端部１１ａｄから幅方向内側（取付杆２０に対して幅方向に接近する方向）に折曲される連結部１１ａｅとにより構成されている。そして、連結部１１ａｅの内側の端部１１ａｆに、円柱状の抜け止め部１１ｂの側周面が連結されることによって、係合部１１は構成される。なお、係合本体部１１ａと抜け止め部１１ｂとは、溶接やカシメ止め、ネジ止め等の公知の方法で連結、固定されている。また、係合本体部１１ａと板状本体部１４とも、同様に公知の方法で連結、固定されている。
抜け止め部１１ｂは、円柱状に形成されており、その幅寸法ｒ１は、後述する取付杆２０の取付杆２０の内周面２０ａ間の幅寸法ｒ２と略同じ長さである（図２（ｄ）参照）。これにより、抜け止め部１１ｂは、取付杆２０の内周面２０ａと摺接またはわずかに隙間を空けて近接するので、取付杆２０内で抜け止め部１１ｂが回動可能となる。また、樋支持具本体１０が取付杆２０に連結、固定された状態でも、ぐらつきが少なく安定して、樋支持具本体１０が係合部１１を介して取付杆２０に吊り下げられる。なお、抜け止め部１１ｂの幅寸法ｒ１と、取付杆２０の内周面２０ａ間の幅寸法ｒ２の寸法関係は、図示したものに限定されることはない。
【００２４】
取付杆２０は、板状材の取付基盤３０から略垂直に、中空の円筒体が前方向に延びて形成されている。取付杆２０の上側には、取付杆２０の先端の開口２３と連通して前後方向に長いスライド溝２２が形成されている。そして、スライド溝２２から幅方向外側に隣接して複数の係合凹部２１が前後方向等間隔に形成されている。なお、係合凹部２１は、樋支持具本体１０の係合部１１の係合本体部１１ａが折曲された方向（傾斜部１１ａｃの外側の端部１１ａｄのある方向）と同じ方向に形成され、これにより、各係合凹部２１には隣接して突起２４が形成される。また、各係合凹部２１は、係合部１１が有する２つの係合本体部１１ａ，１１ａと略同じ間隔をあけて形成されている。そして、スライド溝２２が最後方の係合凹部２１の開口まで形成されることにより、スライド溝２２の後部にストッパー部２０ｂが形成される。ストッパー部２０ｂは、係合部１１が、ストッパー部２０ｂを越えて後方に移動するのを阻止することが可能である。
【００２５】
係合部１１の係合本体部１１ａは、取付杆２０の係合凹部２１に係合された場合に、樋支持具本体１０が取付杆２０に接触しないような形状に折曲されて形成されている。また、係合凹部２１は、隣接する突起２４との協働により係合部１１が取付杆２０の側方側に引っかかるように形成されている。そして、取付杆２０の係合凹部２１に係合部１１を係合させた場合、取付杆２０の略真下に樋支持具本体１０が配されるように、係合部１１の係合本体部１１ａの傾斜部１１ａｃは折曲されて形成されている。
【００２６】
次に、取付杆２０に樋支持具本体１０を連結させる方法について説明する。図２（ａ）に示すように、樋支持具本体１０は、係合本体部１１ａの連結部１１ａｅが、開口２３と連通しているスライド溝２２に挿通するように回動されている。その状態を維持したまま、前方向から、係合部１１を取付杆２０の開口２３及びスライド溝２２に挿通させる。その後、樋支持具本体１０を前後方向の所望の位置に調整し、図２（ｂ）に示すように、係合凹部２１側に回動させる。これにより、樋支持具本体１０は、図２（ｃ）に示すような前後方向の移動が阻止された状態で、係合部１１の抜け止め部１１ｂが取付杆２０内に収容される。また、係合部１１の抜け止め部１１ｂが、取付杆２０の内周面２０ａに引っかかることで、樋支持具本体１０は、係合部１１を介して、取付杆２０に吊り下げられた状態となる。なお、前後方向の移動が阻止された状態の樋支持具本体１０の前後の位置を再び調整したい場合には、樋支持具本体１０を吊り下げるときとは逆の方向に回動させればよい。これにより、樋支持具本体１０は、前後方向の位置調整が再び可能な状態になる。また、樋支持具本体１０、取付杆２０は、製造現場等であらかじめ組み付けておいてもよい。そのようにすれば、施工現場での作業員の作業を減らすことができる。さらに、樋支持具本体１０、取付杆２０は、製造現場等であらかじめ組み付けた後、取付杆２０の開口２３をふさいでもよい。そのようにすれば、樋支持具本体１０の前後方向の位置調整中に、誤って取付杆２０から外れてしまうことを防止できる。
【００２７】
本実施形態の樋支持具本体１０、取付杆２０はステンレス等の金属材で形成されているが、これに限定されることは無く、樹脂材で形成されてもよい。本実施形態の係合部１１の係合本体部１１ａと抜け止め部１１ｂとは、別体として形成されたあとに固着されているが、鋳造や射出成型等で一体に形成されてもよい。また、樋支持具本体１０と係合部１１とが、同様に一体に形成されてもよい。さらに、本実施形態の抜け止め部１１ｂは円柱状に形成されているが、中空の円筒形に形成されてもよい。そして、図２（ｅ）に示すように、１本の線状材を折曲して、２つの係合本体部１１ａ，１１ａと、連結部１１ａｅ，１１ａｅの内側の端部１１ａｆ，１１ａｆから、円を描くように折曲して抜け止め部１１ｂを形成し、係合部１１をループ形状に形成してもよい。この抜け止め部１１ｂの幅寸法ｒ１は、上述した図１の円柱状の抜け止め部１１ｂの幅寸法ｒ１と略同じなので、取付杆２０内で内周面２０ａに摺接またはわずかに隙間を空けて近接するように回動可能となる。
【００２８】
本実施形態の取付杆２０は、中空の円筒体で形成されているが、中空の角柱で形成されてもよい。また、抜け止め部１１ｂが回動可能に取付杆２０の内周面２０ａに摺接またはわずかに隙間を空けて近接するのであれば、内周面２０ａも同様に正面視して角形に形成されてもよい。本実施形態の取付杆２０は、取付基盤３０から略垂直に、中空の円筒体が前方向に延びて形成されているが、若干下がり傾斜に前方向に延びて形成されてもよい。このようにすれば、取付杆２０内に入った雨水等が傾斜に従って開口２３から排水されやすくなる。なお、取付杆２０を傾斜させて取り付ける場合には、取付杆２０に連結させた状態の樋支持具本体１０が略水平となるように、係合部１１や係合凹部２１の形状を形成してもよい。取付杆２０が取付基盤３０から略垂直に伸びて形成されている場合でも、取付杆２０内に入った雨水等が排水されやすくなるように、取付杆２０の下方の内周面２０ａに、開口２３に向けて下がり傾斜した溝を設けてもよい。また、取付杆２０の底面に排水のための貫通孔が形成されてもよい。さらに、取付杆２０の下方の内周面２０ａに、貫通孔に向けて下がり傾斜した溝を設けてもよい。そのようにすれば、雨水等が貫通孔から排水されやすくなる。
【００２９】
本実施形態では、取付杆２０の係合凹部２１に係合部１１を係合させた場合、取付杆２０の略真下に樋支持具本体１０が配されるように、係合部１１の係合本体部１１ａが折曲されて形成されているが、これに限定されることはない。たとえば、係合本体部１１ａは、板状本体部１４から上方向に起立し支持部１１ａａを形成し、幅方向に上がり傾斜した傾斜部１１ａｃを形成せずに、支持部１１ａａの上側の端部１１ａｂから幅方向内側に折曲して形成されてもよい。樋支持具本体１０が、係合部１１を介して取付杆２０に吊り下げ、支持されれば係合本体部１１ａの形状はこれらに限定されることはない。
【００３０】
次に、他の実施形態について説明する。なお、上述した実施形態と共通する部分の説明は省略する。
【００３１】
図３（ａ）の係合部１１は、１つの線状材を折曲して形成することにより、２つの係合本体部１１ａ，１１ａと、２つの係合本体部１１ａ，１１ａの連結部１１ａｅ，１１ａｅの内側の端部１１ａｆ，１１ａｆ間をつなぐ直線状の抜け止め部１１ｂとが形成されている。係合本体部１１ａの形状は上述した図１の係合本体部１１ａと同様に折曲されて形成されており、１つの線状材を折曲して形成することにより、図３（ａ）の係合部１１はループ形状となる。
【００３２】
本実施形態の樋支持具本体１０は、図１の樋支持具本体１０と同様に、取付杆２０の前面から開口２３、スライド溝２２に抜け止め部１１ｂを挿通させることができる。本実施形態の樋支持具本体１０は、取付杆２０の係合凹部２１，２１間の突起２４の部分の内周面２０ａに抜け止め部１１ｂが引っかかるようにして、係合部１１を介して取付杆２０に吊り下げられている。また、本実施形態の取付杆２０には、開口２３が形成されているが、開口２３が形成されていない取付杆２０や、開口２３が形成されていても、スライド溝２２と連通されていない取付杆２０であってもよい。その場合は、取付杆２０の上方からスライド溝２２に、樋支持具本体１０の係合部１１の抜け止め部１１ｂを挿通させればよい。
【００３３】
次に、図３（ａ）の係合部１１の変形例である図３（ｂ）〜図３（ｄ）の係合部１１について説明する。図３（ｂ）は、係合部１１が、中心部に孔が開設されているループ形状の板状材から形成されている。板状本体部１４に固着される底部１１ｃから上方向に折曲されて起立した支持部１１ａａが形成され、図３（ａ）の係合部１１と同様にして、傾斜部１１ａｃ、連結部１１ａｅ、そして抜け止め部１１ｂが形成される。本実施形態の係合部１１は、底部１１ｃがリベット５により板状本体部１４に固着されているが、固着方法はこれに限定されることはない。
【００３４】
図３（ｃ）の樋支持具本体１０の係合部１１は線状材からなっており、単一の係合本体部１１ａが形成され、図３（ａ）（ｂ）と同様にして支持部１１ａａ、傾斜部１１ａｃ、連結部１１ａｅが形成される。そして、連結部１１ａｅの内側の端部１１ａｆから、前方向と後ろ方向の両方向に延びる棒状の抜け止め部１１ｂが形成されている。係合本体部１１ａは、図１、図３（ａ）の係合部１１の係合本体部１１ａと略同形状に折曲形成されているが、これに限定されることはない。
【００３５】
図３（ｄ）の樋支持具本体１０の係合部１１は線状材からなっており、単一の係合本体部１１ａが形成され、係合本体部１１ａの連結部１１ａｅの内側の端部１１ａｆから、球状の抜け止め部１１ｂが形成されている。球状の抜け止め部１１ｂは、取付杆２０の開口２３に挿入され、かつ、係合凹部２１、スライド溝２２から抜け出ないような大きさで形成されている。係合本体部１１ａは、図１、図３（ａ）のものと略同形状に折曲形成されているが、これに限定されることはない。
【００３６】
図３（ａ）〜（ｄ）の係合部１１は、図３（ａ）の取付杆２０に対して用いることに限定されることは無く、後述する実施形態の取付杆２０に対して用いてもよい。また、図３（ｃ）の抜け止め部１１ｂは前方向と後方向の両方向に延びて形成されているが、一方の方向のみに延びて形成されてもよい。さらに、図３（ｄ）の球状の抜け止め部１１ｂは、取付杆２０の内周面２０ａに摺接またはわずかに隙間を空けて近接するように、抜け止め部１１ｂの幅寸法（径）ｒ１が、取付杆２０の内周面２０ａ間の幅寸法ｒ２と略同じ長さに形成されてもよい。また、図３（ｂ）、（ｃ）の係合部１１は、樋支持具本体１０に一つ設けられているが、隣り合う係合凹部２１，２１に吊り下げられるように複数の係合部１１が設けられてもよい。係合部１１は、係合凹部２１に係合し、係合部１１の一部（抜け止め部１１ｂ等）が内周面２０ａ等に引っかかる構成であればよい。また、係合本体部１１ａの連結部１１ａｅの取付杆２０の突起２４の外周面に近接する部位に、前後方向に突出する凸部を設けてもよい。このようにすれば、係合本体部１１ａの連結部１１ａｅの凸部と抜け止め部１１ｂとの協働により、取付杆２０の突起２４を挟み込むようにして係合されるので、樋支持具本体１０は、ぐらつきが少なく安定して、取付杆２０に吊り下げれられる。
【００３７】
図４（ａ）の取付杆２０は、中空の円筒体からなっており、複数の係合凹部２１は、側面視してＬ字状となるように、スライド溝２２から幅方向外側に溝が形成され、後方向に向かって溝が延びて形成されている。係合部１１は、スライド溝２２から係合凹部２１のＬ字状に沿って係合されることにより、樋支持具本体１０に軒樋４を取り付ける際の下方向からの外力によって係合凹部２１から係合部１１の連結部１１ａｅが外れにくくなる。
【００３８】
図４（ｂ）の取付杆２０は、中空の角柱からなっており、開口２３から連通してスライド溝２２が一方の側面に形成されている。スライド溝２２から下方向に向けて開口した複数の係合凹部２１が前後方向に等間隔に形成されている。図４（ｂ）の実施形態では、係合部１１が、係合凹部２１に係合された状態で、下方から上方向への外力が加えられても、スライド溝２２の上部が係合部１１の上方向の移動を阻止するので、係合部１１が取付杆２０から外れにくくなる。また、図４（ｂ）中に二点鎖線で示した抜け止め部１１ｂは、図１の実施形態と同様の円柱状の抜け止め部１１ｂを示している。このような抜け止め部１１ｂであっても、抜け止め部１１ｂの幅寸法ｒ１が、取付杆２０の内周面２０ａ間の幅寸法ｒ２と略同じ長さなので、取付杆２０内で抜け止め部１１ｂを回動させて、係合状態のロック・アンロック状態を切り替えることができる。また、中空の角柱の取付杆２０に係合部１１を介して樋支持具本体１０を、ぐらつきが少なく安定した状態で吊り下げることができる。
【００３９】
図４（ａ）が円筒体、図４（ｂ）が角柱から形成されているが、これに限定されることはない。また、図４（ａ）は係合凹部２１の形状の変形例であり、図４（ｂ）はスライド溝２２が取付杆２０の上方に形成されることに限定されないことを示す例である。
【００４０】
次に図５（ａ）、（ｂ）の実施形態の取付杆２０について説明する。図５（ａ）、（ｂ）の取付杆２０は、前述した実施形態の取付杆２０とは異なり、中空ではなく中実の角柱から形成されている。
図５（ａ）の取付杆２０は、幅寸法が上下寸法より短い角柱から形成されている。取付杆２０の先端部中心付近からスライド溝２２が後ろ方向に向けて形成されており、スライド溝２２から下方向に向けて開口した複数の係合凹部２１が前後方向に等間隔に形成されている。これにより、係合凹部２１と上方向にスライド溝２２を介して対面している上端部２５が形成される。図５（ａ）の実施形態では、係合凹部２１に係合部１１が係合された状態において、樋支持具本体１０が下方から上方向への外力が加えられて浮き上がっても、上端部２５により、係合部１１が取付杆２０から脱落しにくくなる。
【００４１】
図５（ｂ）の取付杆２０は、幅寸法が上下寸法より短い角柱から形成されており、ストッパー部２０ｂが設けられるように、後方から前方へ段落ちして形成されている。ストッパー部２０ｂは、後述する図５（ｄ）のような係合部１１が、ストッパー部２０ｂを越えて後方に移動しないために設けられている。係合凹部２１は、取付杆２０の上部から下方に向けて開口するように前後方向に複数形成されている。つまり、本実施形態の取付杆２０は、図５（ａ）の取付杆２０から上端部２５が取り除かれたような形状となっている。また、本実施形態の取付杆２０にはスライド溝２２が形成されていないので、樋支持具本体１０を連結させる場合、上方から、係合凹部２１に係合部１１を連結させる。
【００４２】
図５（ａ）、（ｂ）の取付杆２０は、係合本体部１１ａの寸法等を調整した図１〜図３と同様の抜け止め部１１ｂを有した係合部１１を使用することができる。また、次に説明する図５（ｃ）、（ｄ）のような係合部１１でもよい。
【００４３】
図５（ｃ）の係合部１１は、線状材からなり、係合部１１の全体の形状が逆Ｊ字状となっている。具体的には、係合本体部１１ａは、樋支持具本体１０の板状本体部１４から上方向に起立した支持部１１ａａと、上側の端部１１ａｂから幅方向内側に延びた連結部１１ａｅからなる。そして、抜け止め部１１ｂは、係合本体部１１ａの連結部１１ａｅの内側の端部１１ａｆから下方向に延びて形成される。このような係合部１１であれば、図５（ａ）、（ｂ）のような取付杆２０の係合凹部２１に吊り下げられると、係合本体部１１ａの支持部１１ａａと抜け止め部１１ｂが取付杆２０の左右を挟み込むようになる。そのため、樋支持具本体１０は、取付杆２０の略真下に配されていない状態であっても、安定して取付杆２０に吊り下げられる。また、係合本体部１１ａの支持部１１ａａと、抜け止め部１１ｂが幅方向内側に若干湾曲するように形成してもよい。そのようにすれば、係合部１１は取付杆２０を挟持し、より安定して取付杆２０に吊り下げられる。なお、図５（ｃ）の抜け止め部１１ｂは、係合本体部１１ａより短く図示されているが、これに限定されることはない。また、図１のような中空の円筒形の取付杆２０に用いる場合には、抜け止め部１１ｂが、取付杆２０の内周面２０ａに沿うような湾曲形状に形成されるとよい。
【００４４】
図５（ｄ）の係合部１１は、線状材からなる係合本体部１１ａと抜け止め部１１ｂからなっており、係合本体部１１ａの支持部１１ａａの上側の端部１１ａｂからループ形状に折曲されて形成されている。より具体的には、係合本体部１１ａは、板状本体部１４の上面から上方向に起立する支持部１１ａａと、支持部１１ａａの上側の端部１１ａｂから幅方向外側に折曲される短辺部１１ａｇと、短辺部１１ａｇの外側の端部１１ａｈから上方向に折曲される長辺部１１ａｉと、長辺部１１ａｉの上側の端部１１ａｄから幅方向内側に折曲される連結部１１ａｅとにより構成される。そして、連結部１１ａｅのもう一方の幅方向外側の端部１１ａｆの下方にＬ字状の抜け止め部１１ｂが形成される。抜け止め部１１ｂは、係合本体部１１ａの連結部１１ａｅの端部１１ａｆから下方向に延びて形成される長辺部１１ｂａと、長辺部１１ｂａの下側の端部１１ｂｂから幅方向内側に折曲される短辺部１１ｂｃとにより構成される。係合本体部１１ａの短辺部１１ａｇ、長辺部１１ａｉ、連結部１１ａｅ、抜け止め部１１ｂの長辺部１１ｂａ、短辺部１１ｂｃに囲まれた空間部１１０は、前方から図５（ｃ）、（ｄ）の取付杆２０の前面２０ｃを通り抜けることができる大きさに形成されている。樋支持具本体１０の前後方向の所望の位置に調整した後、係合凹部２１に係合本体部１１ａの連結部１１ａｅを係合させる。係合部１１が取付杆２０の四周を囲んでいるので、樋支持具本体１０は、安定して取付杆２０に吊り下げられる。また、樋支持具本体１０に軒樋４を取り付ける際に、下方から上方向への外力が加えられても、取付杆２０の底面に係合本体部１１ａの短辺部１１ａｇと、抜け止め部１１ｂの短辺部１１ｂｃとが接触するので、それ以上の樋支持具本体１０の上方向の移動を阻止する。そして、図５（ｂ）の最後方の係合凹部２１には、その係合凹部２１より後方に図５（ｄ）のような係合部１１が移動しないように、ストッパー部２０ｂが設けられている。
【００４５】
上述した各実施形態では、樋支持具本体１０は、同一の形状で形成されているが、これに限定されることはない。前耳保持部１２、後耳保持部１３の形状もこれに限定されることはない。また、係合部１１や取付杆２０の形状も上述したものに限定されることはない。
【符号の説明】
【００４６】
１              軒樋支持具
１０            樋支持具本体
１１            係合部
１１ｂ          抜け止め部
２０            取付杆
２１            係合凹部
３０            取付基盤
４              軒樋
【図１】
2020037829.tif 000003
【図２】
2020037829.tif 000004
【図３】
2020037829.tif 000005
【図４】
2020037829.tif 000006
【図５】
2020037829.tif 000007